(57)【要約】【課題】通報者の匿名性を確保し、利便性と信頼性とセキュリティ性が高い内部通報管理システム及び内部通報管理方法を提供する。【解決手段】匿名による内部通報を受け付けて管理するシステムであって、通報者端末に一意の通報者ＩＤを作成する通報者ＩＤ作成手段と、通報メッセージを受け付ける毎に一意の通報番号を作成する通報番号作成手段と、二要素認証が成功した場合にのみ通報メッセージと通報番号と受付日時データとをデータベースに格納する通報受付手段と、所定の担当者端末のみから通報者ＩＤを表示せずに回答メッセージを受け付ける回答受付手段と、二要素認証が成功した場合にのみ通報者端末に回答メッセージを表示させる回答表示手段と、を備える。【選択図】図１
2019139334.tif 000002
【特許請求の範囲】
【請求項１】
１又は複数の団体について匿名による内部通報を受け付けて管理するシステムであって、
団体毎に付与されるベーシックＩＤとベーシックパスワードとを互いに関連づけて格納し、担当者用ＩＤと担当者用パスワードと担当者グローバルＩＰアドレスとを互いに関連づけて格納したデータベースを備え、
通信網を介して接続する端末にＷｅｂページを提供するＷｅｂページ提供手段と、
通報者用Ｗｅｂページにアクセスした通報者端末に、ベーシックＩＤとベーシックパスワードによる認証を行う第１の認証手段と、
前記第１の認証手段で認証された通報者端末が通報者ＩＤ未付与である場合に、一意の通報者ＩＤを作成する通報者ＩＤ作成手段と、
通報者ＩＤを作成された該通報者端末から通報者パスワードと通報者識別情報の登録を受け付けて、前記通報者ＩＤに互いに関連づけて前記データベースに格納する初期登録手段と、
通報者用Ｗｅｂページにアクセスした通報者端末が通報者ＩＤ付与済である場合、該通報者端末に、通報者パスワードによる認証を行う第２の認証手段と、
前記第２の認証手段で認証がされた通報者端末から、通報選択を受け付けて、一意の通報番号を作成する通報番号作成手段と、
通報選択を受け付けた場合、該通報者端末に、通報メッセージを受け付けて、該通報メッセージと前記通報番号と受付日時データとを、前記通報者識別情報と互いに関連づけて前記データベースに格納する通報受付手段と、
担当者用Ｗｅｂページにアクセスした担当者端末に、担当者用ＩＤと担当者用パスワードによる認証を行う第３の認証手段と、
前記第３の認証手段で認証がされた担当者端末のグローバルＩＰアドレスが、該担当者用ＩＤと互いに関連づけて前記データベースに格納されている担当者グローバルＩＰアドレスである場合に認証する第４の認証手段と、
前記第４の認証手段で認証がされた担当者端末に、受付日時データと通報者識別情報とを含み通報者ＩＤを含まない通報一覧を有する管理画面を表示させ、回答する通報の選択を受け付け、選択された通報の受付日時データに互いに関連づけて格納されている通報メッセージと通報者識別情報を含み通報者ＩＤを含まない回答用画面を表示させ、回答メッセージを受け付け、該回答メッセージと該通報メッセージとを互いに関連づけて前記データベースに格納する回答受付手段と、
前記第２の認証手段で認証がされた通報者端末から、回答を表示する通報の選択を受け付けて、該通報者端末に、該受付日時データと互いに関連づけて格納されている通報メッセージを表示させ、該通報メッセージに互いに関連づけて格納されている回答メッセージを表示させる回答表示手段と、
を有することを特徴とする、内部通報管理システム。
【請求項２】
前記データベースに、システム管理者ＩＤとシステム管理者パスワードとを互いに関連づけて格納してあり、
システム管理者ＩＤとシステム管理者パスワードによる認証を行ったシステム管理者端末から、団体毎に表示する言語の選択を受け付け、選択された言語をベーシックＩＤと互いに関連づけて前記データベースに格納する言語受付手段と、
言語毎に、表示する文言のテンプレートの入力を受け付け、前記データベースに言語テンプレートとして格納する言語テンプレート登録手段と、
を有することを特徴とする、請求項１記載の内部通報管理システム。
【請求項３】
１又は複数の団体について匿名による内部通報を受け付けて管理する方法であって、
団体毎のベーシックＩＤとベーシックパスワードとを互いに関連づけて格納し担当者用ＩＤと担当者用パスワードと担当者グローバルＩＰアドレスとを互いに関連づけて格納したデータベースを備え、通報者ＩＤ作成手段と、通報番号作成手段と、通信網を介して接続する端末にＷｅｂページを提供するＷｅｂページ提供手段と、を有するサーバで通報管理を行うものであって、
前記サーバが、通報者用Ｗｅｂページにアクセスした通報者端末に、ベーシックＩＤとベーシックパスワードによる認証を行うステップＡと、
前記サーバが、ステップＡで認証された通報者端末が通報者ＩＤ未付与である場合に、一意の通報者ＩＤを作成して、通報者パスワードと通報者識別情報の登録を受け付けて、該通報者パスワードと通報者識別情報とを作成された通報者ＩＤに互いに関連づけて前記データベースに格納するステップＢと、
前記サーバが、ステップＡで認証された通報者端末が通報者ＩＤ付与済である場合に、該通報者端末から通報者パスワードの入力を受け付けるステップＣと、
前記サーバが、ステップＣで入力された通報者パスワードが、前記通報者ＩＤに互いに関連づけて格納されている場合に、該通報者端末から通報履歴又は通報の選択を受け付けるステップＤと、
前記サーバが、ステップＤで通報が選択された場合に、一意の通報番号を作成して、該通報者端末から通報メッセージを受け付けて、該通報メッセージと作成された通報番号と受付日時データとを該通報者識別情報と互いに関連づけて前記データベースに格納するステップＥと、
前記サーバが、担当者用Ｗｅｂページにアクセスした担当者端末に、担当者用ＩＤと担当者用パスワードによる認証を行うステップＦ、
前記サーバが、ステップＦで認証された担当者端末のグローバルＩＰアドレスが、該担当者用ＩＤと互いに関連づけて前記データベースに格納されている担当者グローバルＩＰアドレスである場合に認証するステップＧ、
前記サーバが、ステップＧで認証された担当者端末に、受付日時データと通報者識別情報とを含み通報者ＩＤを含まない通報一覧を有する管理画面を表示させ、回答する通報の選択を受け付けるステップＨと、
前記サーバが、ステップＨで選択された通報の受付日時データに互いに関連づけて格納されている通報メッセージと通報者識別情報を含み通報者ＩＤを含まない回答用画面を該担当者端末に表示させ、回答メッセージを受け付け、該回答メッセージと該通報メッセージとを互いに関連づけて前記データベースに格納するステップＩと、
前記サーバが、ステップＤで通報履歴が選択された場合に、該通報者ＩＤと互いに関連づけて格納されている通報者識別情報を前記データベースから呼び出し、前記通報者端末に、該通報者識別情報に互いに関連づけて格納されている受付日時データと回答有無を表示させ、回答を表示する通報の選択を受け付け、前記通報者端末に、該受付日時データと互いに関連づけて格納されている通報メッセージを表示させ、該通報メッセージに互いに関連づけて格納されている回答メッセージを表示させるステップＪと、
を含むことを特徴とする内部通報管理方法。
【請求項４】
さらに、前記データベースに、システム管理者ＩＤとシステム管理者パスワードとを互いに関連づけて格納してあり、
前記サーバが、システム管理者ＩＤとシステム管理者パスワードによる認証を行ったシステム管理者端末から、団体毎に表示する言語の選択を受け付けるステップγと、
前記サーバが、言語毎に表示する文言のテンプレートの入力を受け付けるステップσと、
を含むことを特徴とする、請求項３記載の内部通報管理方法。
【発明の詳細な説明】
【技術分野】
【０００１】
本発明は、内部通報等において匿名で通報を受け付けて管理するための内部通報管理システム及び内部通報管理方法に関する。
【背景技術】
【０００２】
近年、リスクマネジメントの強化、コンプライアンス経営の強化のために、内部通報制度を取り入れて不祥事防止や組織内での問題解決に取り組む企業が増えている。また、公益通報者保護制度等ができ、公益のために通報を行った労働者に対する不利益な取扱いが禁止されている。
【０００３】
内部通報の方法としては、例えば、内部の担当者や外部の弁護士事務所等にホットラインを設ける方法等が知られている。内部通報者を保護するための方法として、例えば、Ｗｅｂサイトでワンタイムパスワードを利用する方法等が知られている（例えば、特許文献１参照）。
【先行技術文献】
【特許文献】
【０００４】
【特許文献１】特開２００５−１７３８６１号公報
【発明の概要】
【発明が解決しようとする課題】
【０００５】
しかし、内部にホットラインを設けた場合、従業員同士で通報者が特定されてしまう心配があり匿名性が低いという問題があった。一方、外部の弁護士事務所にホットラインを設けた場合、中立性はあるものの、敷居が高く営業時間が限られるため、利便性に欠けるという問題があった。
【０００６】
また、上記文献に記載された方法では、全ての通報に対しワンタイムパスワードの期限までに対応が必要となるため通報が集中した際に処理が大変になり利便性に欠けるという問題があった。また、従業員に割り振られた通報者ＩＤによって企業担当者に自分を特定されないか疑心暗鬼になって信頼性が低くなるおそれがあるという問題があった。また、企業担当者側の携帯のメールアドレス等にワンタームパスワードが通知される際に企業担当者側の識別情報を知った第三者にメールを読まれると通報内容が漏れるおそれがあり、さらに、企業担当者側が外部からアクセスできるため情報漏洩の心配があり、サーバに残ったログが流出するおそれもあり、したがってセキュリティが低いこと等の問題があった。
【０００７】
また、グローバル化が進む中、一言語のみに対応したシステムのため、外資系企業等への展開が困難で拡張性が低いという問題があった。
【０００８】
したがって、本発明の第１の目的は、通報者の匿名性を確保し、利便性と信頼性とセキュリティ性が高い内部通報管理システム及びこれを用いた内部通報管理方法を提供することにある。また、本発明の第２の目的は、さらに、多言語にも対応できる内部通報管理システム及びこれを用いた内部通報管理方法を提供することにある。
【課題を解決するための手段】
【０００９】
本発明の第１の態様は、上記目的を達成するため、１又は複数の団体について匿名による内部通報を受け付けて管理するシステムであって、
団体毎に付与されるベーシックＩＤとベーシックパスワードとを互いに関連づけて格納し、担当者用ＩＤと担当者用パスワードと担当者グローバルＩＰアドレスとを互いに関連づけて格納したデータベースを備え、
通信網を介して接続する端末にＷｅｂページを提供するＷｅｂページ提供手段と、
通報者用Ｗｅｂページにアクセスした通報者端末に、ベーシックＩＤとベーシックパスワードによる認証を行う第１の認証手段と、
前記第１の認証手段で認証された通報者端末が通報者ＩＤ未付与である場合に、一意の通報者ＩＤを作成する通報者ＩＤ作成手段と、
通報者ＩＤを作成された該通報者端末から通報者パスワードと通報者識別情報の登録を受け付けて、前記通報者ＩＤに互いに関連づけて前記データベースに格納する初期登録手段と、
通報者用Ｗｅｂページにアクセスした通報者端末が通報者ＩＤ付与済である場合、該通報者端末に、通報者パスワードによる認証を行う第２の認証手段と、
前記第２の認証手段で認証がされた通報者端末から、通報選択を受け付けて、一意の通報番号を作成する通報番号作成手段と、
通報選択を受け付けた場合、該通報者端末に、通報メッセージを受け付けて、該通報メッセージと前記通報番号と受付日時データとを、前記通報者識別情報と互いに関連づけて前記データベースに格納する通報受付手段と、
担当者用Ｗｅｂページにアクセスした担当者端末に、担当者用ＩＤと担当者用パスワードによる認証を行う第３の認証手段と、
前記第３の認証手段で認証がされた担当者端末のグローバルＩＰアドレスが、該担当者用ＩＤと互いに関連づけて前記データベースに格納されている担当者グローバルＩＰアドレスである場合に認証する第４の認証手段と、
前記第４の認証手段で認証がされた担当者端末に、受付日時データと通報者識別情報とを含み通報者ＩＤを含まない通報一覧を有する管理画面を表示させ、回答する通報の選択を受け付け、選択された通報の受付日時データに互いに関連づけて格納されている通報メッセージと通報者識別情報を含み通報者ＩＤを含まない回答用画面を表示させ、回答メッセージを受け付け、該回答メッセージと該通報メッセージとを互いに関連づけて前記データベースに格納する回答受付手段と、
前記第２の認証手段で認証がされた通報者端末から、回答を表示する通報の選択を受け付けて、該通報者端末に、該受付日時データと互いに関連づけて格納されている通報メッセージを表示させ、該通報メッセージに互いに関連づけて格納されている回答メッセージを表示させる回答表示手段と、
を有することを特徴とする内部通報管理システムを提供する。
【００１０】
本発明において、「一意の」には、一意的な、一義的なという意味を含む。「一意の通報者ＩＤ」及び「一意の通報番号」には、例えば、初期登録毎に別々の通報者ＩＤ、通報毎に別々の通報番号であることを含む。同じ通報者端末でも、初期登録毎に別の通報者ＩＤとなることが好ましい。「通報者ＩＤ」及び「通報番号」は、記号や英数字の組み合わせであってもよい。「通報者ＩＤ」及び「通報番号」は、団体名や団体ＩＤや通報者の属性から推測されないものであることが好ましい。
【００１１】
本発明の第１の態様によれば、氏名のみならず通報者ＩＤやメールアドレスも、通報を処理する担当者に知られずにすむ。また、いつでもどこでも簡単に通報できる。また、通報者ＩＤが通報者毎に最初から割り振られたものでなく、特定される心配がない。また、認証が厳重でなりすましや情報漏洩を防止できる。また、通報者ＩＤは通報者端末にも表示しないので、なりすましをさらに防止しやすい。また、データベースにログが残らないので、外部に通報者の情報が漏れる心配がない。したがって、通報者の匿名性を確保し、利便性と信頼性とセキュリティ性が高い。
【００１２】
前記データベースに、システム管理者ＩＤとシステム管理者パスワードとを互いに関連づけて格納してあり、
システム管理者ＩＤとシステム管理者パスワードによる認証を行ったシステム管理者端末から、団体毎に表示する言語の選択を受け付け、選択された言語をベーシックＩＤと互いに関連づけて前記データベースに格納する言語受付手段と、
言語毎に、表示する文言のテンプレートの入力を受け付け、前記データベースに言語テンプレートとして格納する言語テンプレート登録手段と、
を有することが好ましい。団体毎に言語を変えることができるので、さらに、多言語にも対応できる。
【００１３】
また、本発明の第２の態様は、１又は複数の団体について匿名による内部通報を受け付けて管理する方法であって、
団体毎のベーシックＩＤとベーシックパスワードとを互いに関連づけて格納し担当者用ＩＤと担当者用パスワードと担当者グローバルＩＰアドレスとを互いに関連づけて格納したデータベースを備え、通報者ＩＤ作成手段と、通報番号作成手段と、通信網を介して接続する端末にＷｅｂページを提供するＷｅｂページ提供手段と、を有するサーバで通報管理を行うものであって、
前記サーバが、通報者用Ｗｅｂページにアクセスした通報者端末に、ベーシックＩＤとベーシックパスワードによる認証を行うステップＡと、
前記サーバが、ステップＡで認証された通報者端末が通報者ＩＤ未付与である場合に、一意の通報者ＩＤを作成して、通報者パスワードと通報者識別情報の登録を受け付けて、該通報者パスワードと通報者識別情報とを作成された通報者ＩＤに互いに関連づけて前記データベースに格納するステップＢと、
前記サーバが、ステップＡで認証された通報者端末が通報者ＩＤ付与済である場合に、該通報者端末から通報者パスワードの入力を受け付けるステップＣと、
前記サーバが、ステップＣで入力された通報者パスワードが、前記通報者ＩＤに互いに関連づけて格納されている場合に、該通報者端末から通報履歴又は通報の選択を受け付けるステップＤと、
前記サーバが、ステップＤで通報が選択された場合に、一意の通報番号を作成して、該通報者端末から通報メッセージを受け付けて、該通報メッセージと作成された通報番号と受付日時データとを該通報者識別情報と互いに関連づけて前記データベースに格納するステップＥと、
前記サーバが、担当者用Ｗｅｂページにアクセスした担当者端末に、担当者用ＩＤと担当者用パスワードによる認証を行うステップＦ、
前記サーバが、ステップＦで認証された担当者端末のグローバルＩＰアドレスが、該担当者用ＩＤと互いに関連づけて前記データベースに格納されている担当者グローバルＩＰアドレスである場合に認証するステップＧ、
前記サーバが、ステップＧで認証された担当者端末に、受付日時データと通報者識別情報とを含み通報者ＩＤを含まない通報一覧を有する管理画面を表示させ、回答する通報の選択を受け付けるステップＨと、
前記サーバが、ステップＨで選択された通報の受付日時データに互いに関連づけて格納されている通報メッセージと通報者識別情報を含み通報者ＩＤを含まない回答用画面を該担当者端末に表示させ、回答メッセージを受け付け、該回答メッセージと該通報メッセージとを互いに関連づけて前記データベースに格納するステップＩと、
前記サーバが、ステップＤで通報履歴が選択された場合に、該通報者ＩＤと互いに関連づけて格納されている通報者識別情報を前記データベースから呼び出し、前記通報者端末に、該通報者識別情報に互いに関連づけて格納されている受付日時データと回答有無を表示させ、回答を表示する通報の選択を受け付け、前記通報者端末に、該受付日時データと互いに関連づけて格納されている通報メッセージを表示させ、該通報メッセージに互いに関連づけて格納されている回答メッセージを表示させるステップＪと、
を含むことを特徴とする内部通報管理方法を提供する。
【００１４】
本発明の第２の態様によれば、氏名のみならず通報者ＩＤやメールアドレスも担当者を含む他人に知られずにすむ。また、いつでもどこでも簡単に通報できる。また、通報者ＩＤが通報者毎に最初から割り振られたものでなく、特定される心配がない。また、認証が厳重でなりすましや情報漏洩を防止できる。また、通報者ＩＤは通報者にも表示しないので、なりすましをさらに防止しやすい。また、データベースにログが記憶されない。したがって、通報者の匿名性を確保し、利便性と信頼性とセキュリティ性が高い。
【００１５】
さらに、前記データベースに、システム管理者ＩＤとシステム管理者パスワードとを互いに関連づけて格納してあり、
前記サーバが、システム管理者ＩＤとシステム管理者パスワードによる認証を行ったシステム管理者端末から、団体毎に表示する言語の選択を受け付けるステップγと、
前記サーバが、言語毎に表示する文言のテンプレートの入力を受け付けるステップσと、
を含むことが好ましい。団体毎に言語を変えることができるので、さらに、多言語にも対応できる。
【００１６】
前記サーバが、
システム管理者ＩＤとシステム管理者パスワードによる認証を行ったシステム管理者端末から、団体ごとにサービス名とベーシックＩＤとベーシックパスワードと担当者ＩＤと担当者パスワードとサービス開始日とを受け付けるステップβと、
を含むことが好ましい。
【００１７】
前記ステップＥにおいて、通報メッセージには、テキスト、音声ファイル、画像ファイル、動画ファイルのうち１種類以上を含むことが好ましい。
【００１８】
前記ステップＥにおいて、通報者識別情報に加えてメールアドレスも受け付け可能とし、受け付けした通報者メールアドレスを該通報者識別情報に互いに関連づけて前記データベースに格納するものでもよい。
その場合は、前記サーバが、メール送信手段を備え、前記サーバが、ステップＩにおいて回答メッセージを受け付けた通報者識別情報に関連づけられて前記データベースに格納されている通報者メールアドレスに、メールを送信することが好ましい。
【００１９】
また、前記サーバが、メール送信手段を備え、前記データベースに担当者用ＩＤに担当者メールアドレスを互いに関連づけて格納してあり、前記サーバが、ステップＥの後、メールを前記担当者メールアドレスに送信するものであってもよい。
【００２０】
前記ステップＩにおいて、前記回答用画面で、通報メッセージ毎のタグの入力及び回答要否の選択を受け付けることが好ましい。なお、前記ステップＨにおいて、前記担当者端末から通報者識別情報又はタグでの検索を受け付け、該担当者端末に検索結果を表示させて、回答する通報の選択を受け付けることがより好ましい。
【発明の効果】
【００２１】
本発明によれば、通報者の匿名性を確保し、利便性と信頼性とセキュリティ性が高い。また、さらに、多言語にも対応できる。
【図面の簡単な説明】
【００２２】
【図１】本発明の内部通報管理システムの実施例１のシステム概略図である。
【図２】本発明の内部通報管理システム及び内部通報管理方法の実施例１の処理手順の概要を示す第１の画面変移概要図（システム管理者用）である。
【図３】本発明の内部通報管理システム及び内部通報管理方法の実施例１の処理手順の概要を示す第１のフロー図である。
【図４】本発明の内部通報管理システム及び内部通報管理方法の実施例１の処理手順の概要を示す第２の画面変移概要図（通報者端末用：初期登録）である。
【図５】本発明の内部通報管理システム及び内部通報管理方法の実施例１の処理手順の概要を示す第３の画面変移概要図（通報者端末用：通報１）である。
【図６】本発明の内部通報管理システム及び内部通報管理方法の実施例１の処理手順の概要を示す第４の画面変移概要図（通報者端末用：通報２）である。
【図７】本発明の内部通報管理システム及び内部通報管理方法の実施例１の処理手順の概要を示す第２のフロー図である。
【図８】本発明の内部通報管理システム及び内部通報管理方法の実施例１の処理手順の概要を示す第５の画面変移概要図（担当者端末用：管理画面）である。
【図９】本発明の内部通報管理システム及び内部通報管理方法の実施例１の処理手順の概要を示す第６の画面変移概要図（通報者端末用：回答確認）である。
【発明を実施するための形態】
【００２３】
以下、本発明の内部通報管理システム及び内部通報管理方法について、添付図面を参照して実施例を用いて本発明の好適な実施の形態を具体的に説明するが、本発明はこれらに限定されるものではない。
【実施例１】
【００２４】
本実施例は、通報者がＰＣ端末だけでなくスマートフォン端末やタブレット端末からであっても、通報に回答する担当者に通報者の氏名を特定されることなく、つまり、匿名で、通報メッセージを送ることを可能とする、匿名対応の内部通報管理システムとこれを用いた内部通報管理方法である。具体的には、通報者が初期登録する際にＩＤが自動作成され、担当者側に表示される通報者識別情報を通報者自身に作成させる。さらに、通報者が初期登録した端末から、二要素認証を経てのみ、通報や回答閲覧させる。所定のＩＰアドレスである担当者端末からのみ通報に回答でき、一方で通報者を特定する情報を見ることができず、ログが残らないものである。また、本実施例は、言語を選択でき選択した言語で表示するものである。
【００２５】
｛構成｝
図１は、本発明の内部通報管理システムの実施例１のシステム概略図である。
【００２６】
本実施例の内部通報管理システム１は、ネットワーク５を介して複数の端末（２、３、４）に接続されている。通報者端末２は、内部通報を行う通報者が用いる端末であり、ＰＣ端末でも、スマートフォン端末、タブレット端末等でもよい。担当者端末３は、内部通報に対して回答等の処理を行う担当者の端末である。担当者端末３は、内部通報管理システム１を利用する１団体として登録されている団体の特定の場所に設置された端末である。団体としては、企業、学校、官庁等がある。本実施例では、企業を一例として説明する。システム管理者端末４は、システムを管理する管理者の端末で、団体の登録（ベーシックＩＤ等の設定）や、回答を許可する担当者端末の登録（ホワイトリスト等の設定）や言語設定等を行うものである。
【００２７】
本実施例の内部通報管理システム１と各端末を接続するネットワーク５としては、インターネット回線やＬＡＮ、ＷＡＮ等の通信ネットワークが挙げられ、内部通報管理システム１と各端末とは相互に通信可能である。本実施例の内部通報管理システム１は、複数の団体の内部通報を管理できる。１つの団体につき、通報者端末２は多数、担当者端末３は１又は複数が想定される。システム管理者端末４は、１又は複数の端末で１又は複数の団体についての管理を行うことが想定される。
【００２８】
各端末（２、３、４）は、例えば、パーソナルコンピュータ（ＰＣ）やＰＤＡ、スマートフォン、タブレット端末等、ブラウザ等の表示手段とデータ通信手段とを有する端末である。担当者端末３については、グローバルＩＰアドレスに制約があるので、対象団体である企業の所定のＬＡＮに接続された端末である必要がある。
【００２９】
本実施例の内部通報管理システム１は、ネットワーク５にファイヤーウォール１４を介して接続されるサーバを有する。サーバは、本実施例では、互いにＬＡＮ等で接続されたＷｅｂサーバ１１とメールサーバ１２とデータベースサーバ１３とを含むサーバ群であるが、各サーバが１又は複数のサーバからなるものであってもよい。本実施例では、各サーバは設置型のサーバであるが、クラウドサーバであってもよい。本実施例ではメールサーバ１２を有するが、メールによる送信を行わない場合は、なくてもよい。
【００３０】
Ｗｅｂサーバ１１は、通信網を介して接続する端末にＷｅｂページを提供するＷｅｂページ提供手段を有し、通報者ＩＤ作成手段１１１と、通報番号作成手段１１２とを有する。Ｗｅｂサーバ１１には、内部通報管理システム１を制御する管理プログラムが搭載されている。
【００３１】
メールサーバ１２は、通信網を介して接続する端末に送信するメールを作成し、作成したメールを送信するメール送信手段を有する。
【００３２】
データベースサーバ１３は、各種情報を格納したデータベースを有するサーバで、該データベースには、団体毎に１つ付与されるベーシックＩＤとベーシックパスワードとが互いに関連付けられたテーブルと、団体毎に１又は複数付与される担当者用ＩＤと担当者用パスワードと担当者グローバルＩＰアドレスとが互いに関連付けられたテーブルとが記憶されている。なお、本実施例では、担当者用ＩＤはその団体のベーシックＩＤと関連づけて記憶されている。本実施例では、さらに、該データベースには、システム管理者ＩＤとシステム管理者パスワードとが互いに関連付けられたテーブルが記憶されている。また、該データベースには、各ベーシックＩＤに、通報者ＩＤと通報者パスワードが互いに関連付けられ、それぞれの通報者ＩＤに、１つの通報者識別情報と通報者識別情報パスワードの組と、１又は複数の通報メッセージと通報番号と受付日時データと回答メッセージの組とが互いに関連付けられたテーブルが記憶されている。また、本実施例では、該データベースには、ベーシックＩＤに言語テンプレートが関連づけて記憶されている。また、該データベースには、Ｗｅｂサーバによって端末に表示するための各種Ｗｅｂ画面が記憶されている。本実施例では、担当者用ＩＤに担当者メールアドレスが関連付けて記憶され、通報者識別情報に通報者メールアドレスが関連づけて記憶されているが、メールによる送信を行わない場合は、なくてもよい。
【００３３】
上記管理プログラムは、コンピュータに、通信網を介して接続する端末にＷｅｂページを提供するＷｅｂページ提供機能と、通報者用Ｗｅｂページにアクセスした通報者端末にベーシックＩＤとベーシックパスワードによる認証を行う第１の認証機能と、第１の認証機能で認証された通報者端末が通報者ＩＤ未付与である場合に一意の通報者ＩＤを作成する通報者ＩＤ作成機能と、通報者ＩＤを作成された通報者端末から通報者パスワードと通報者識別情報と通報者識別情報パスワードの登録を受け付けて通報者ＩＤに互いに関連づけてデータベースに格納する初期登録機能と、通報者用Ｗｅｂページにアクセスした端末が通報者ＩＤ付与済である場合に通報者端末に通報者ＩＤと通報者パスワードによる認証を行う第２の認証機能と、第２の認証機能で認証がされた通報者端末から通報選択を受け付けて一意の通報番号を作成する通報番号作成機能と、通報選択を受け付けた場合に通報者端末に通報メッセージと通報番号と受付日時データとを通報者識別情報と互いに関連づけてデータベースに格納する通報受付機能と、担当者用Ｗｅｂページにアクセスした担当者端末に担当者用ＩＤと担当者用パスワードによる認証を行う第３の認証機能と、第３の認証機能で認証がされた担当者端末のグローバルＩＰアドレスが担当者用ＩＤと互いに関連づけてデータベースに格納されている担当者グローバルＩＰアドレスである場合に認証する第４の認証機能と、第４の認証機能で認証がされた担当者端末に受付日時データと通報者識別情報とを含み通報者ＩＤを含まない通報一覧を有する管理画面を表示させ回答する通報の選択を受け付け選択された通報の受付日時データに互いに関連づけて格納されている通報メッセージと通報者識別情報を含み通報者ＩＤを含まない回答用画面を表示させ回答メッセージを受け付け該回答メッセージと通報メッセージとを互いに関連づけてデータベースに格納する回答受付機能と、第２の認証機能で認証がされた通報者端末から回答を表示する通報の選択を受け付けて、通報者端末に受付日時データと互いに関連づけて格納されている通報メッセージを表示させ、通報メッセージに互いに関連づけて格納されている回答メッセージを表示させる回答表示機能を実現させるためのプログラムである。
【００３４】
本実施例では、上記管理プログラムは、さらに、通報受付機能により通報を受け付けた後その団体の担当者ＩＤに関連づけて格納されている担当者メールアドレス宛てにメールを作成して送信する第１のメール送信機能と、回答受付機能により回答メッセージを受け付けた後その回答メッセージに関連づけて格納されている通報者メールアドレス宛てにメールを作成して送信する第２のメール送信機能をも実現させるためのプログラムであるが、メールによる送信を行わない場合は、これらの機能はなくてもよい。
【００３５】
各サーバ（１１、１２、１３）は、ハードウェアとして、それぞれ、メモリを伴うＣＰＵ、デバイスドライバ等で構成される制御・演算装置と、ＤＲＡＭ等の主記憶装置やハードディスク等の補助記憶装置を有する記憶装置と、ネットワークインターフェース等の通信制御装置とを備えている。記憶装置には、蓄積フォルダや環境設定フォルダやプログラムやオペレーティングシステムが格納されている。ただし、本実施例では、ログは蓄積しない。プログラムは、通常、記憶装置の補助記憶装置に格納されており、実行時には主記憶装置にロードされる。各サーバは、ＣＰＵが管理プログラムをメモリにロードして実行することにより本実施例の内部通報管理方法の各処理が可能なコンピュータの機能を実現する。各サーバ（１１、１２、１３）は、通常のサーバが有するクロック機能等を備え、通常のコンピュータに搭載する演算処理装置であり、各種プログラムを実行し、各種制御等を行う。
【００３６】
本実施例の内部通報管理システム１では、Ｗｅｂサーバ１１に、上述したＷｅｂページ提供手段と通報者ＩＤ作成手段１１１と通報番号作成手段１１２の他、第１〜第４の認証手段と、初期登録手段と、通報受付手段と、回答受付手段と、回答表示手段とを設けてあり、データベースサーバ１３に、データの記憶蓄積手段を設けてある。また、本実施例では、より好ましい態様として、通報検索手段をも設けてある。さらに、本実施例では、利便性のため、メールサーバ１２に、メールを作成し作成したメールを送信するメール送信手段とを設けてある。各サーバは、前述のハードウェア構成と管理プログラムによって、これらの手段として機能する。
【００３７】
Ｗｅｂページ提供手段は、通信網を介して接続し所定のリクエストを送信してきた端末に、要求に応じて、データベースに記憶されているＷｅｂ画面を含むＷｅｂページを提供する。
【００３８】
第１の認証手段は、通報者用Ｗｅｂページにアクセスした通報者端末２に、ベーシックＩＤとベーシックパスワードによる認証を行う。ベーシックＩＤとベーシックパスワードは団体毎に１つずつ付与されているので、かかる認証により、通報者端末がどの団体の通報者かがシステム側に識別される。通報者用Ｗｅｂページへのアクセスは、二次元コードからのリンクや直接ＵＲＬを入力して行うことができる。なお、本実施例において、全ての認証は、Ｗｅｂサーバ１１がデータベースサーバ１３に照会して行う。
【００３９】
通報者ＩＤ作成手段は、第１の認証手段で認証された通報者端末が通報者ＩＤ未付与である場合に、一意の通報者ＩＤを作成する。通報者ＩＤが付与された端末からのアクセスであるか否かの判別には、例えばデジタル証明書や端末コード・ＭＡＣアドレス・ＩＰアドレスやクッキー等の利用が可能であるが、本実施例ではクッキー（Ｃｏｏｋｉｅ）を利用する。したがって、証明書のインストールが不要で、接続の都度にＩＰアドレスが変わってしまうスマートフォン等の端末でも利用可能となる。通報者ＩＤは、作成する度に異なるＩＤであり、通報者や団体を推測できないＩＤとする。通報者端末が通報者ＩＤ未付与であると判別された場合には通報者端末に初期登録画面が表示される。
【００４０】
初期登録手段は、通報者ＩＤを作成された通報者端末から通報者パスワードと通報者識別情報の登録を受け付けて、通報者ＩＤに互いに関連づけてデータベースに格納する。初期登録には、自動作成された通報者ＩＤに通報者が作成する通報者パスワードが登録され、さらに、通報メッセージ入力時の二要素認証のために、初期登録画面で通報者が入力するニックネーム等の通報者識別情報を、通報者ＩＤに互いに関連づけて登録する。本実施例では、通報者パスワードは英数大文字小文字８文字以上とし同一でないものとする。本実施例では、任意でメールアドレスも登録できるが、メールによる通知を行わない場合は登録項目から外してもよい。担当者端末には、自動作成される通報者ＩＤでなく通報者が作成する通報者識別情報が表示されるので、通報者が担当者に自分を特定されることを防止し、匿名での通報を可能とする。また、自動作成される通報者ＩＤによって自分を特定されるかもしれないという通報者の疑念をも払拭できる。なお、通報者ＩＤは通報者端末にも表示しない。
【００４１】
第２の認証手段は、通報者用Ｗｅｂページにアクセスした通報者端末が通報者ＩＤ付与済である場合、通報者端末に、通報者パスワードによる認証を行う。クッキーを利用して、通報者ＩＤが付与された初期登録済みの通報者端末であると判別された場合には通報者端末に、通報者パスワードの入力を促すログインページが表示される。
【００４２】
登録済みの通報者端末に自動付与された通報者ＩＤによる認証（Ｉ  ＨＡＶＥ認証：端末認証）と、通報者が作成した通報者パスワードとによる認証（Ｉ  ＫＮＯＷ認証：本人認証）とで、二要素認証できた場合のみ通報を登録するので、なりすましを防止できる。なお、登録時に、通報者識別情報とともに通報者識別情報パスワードの登録も受け付けて、通報者識別情報を通報者識別情報パスワードが関連づけて記憶してあり、第２の認証を行った後に、通報者識別情報パスワードによる認証を行ってよりセキュリティを強化してもよい。
【００４３】
通報番号作成手段は、第２の認証手段で認証がされた通報者端末から、通報選択を受け付けて、一意の通報番号を作成する。通報番号は、システム側でのみ使用されるユニークなキー番号で、第三者が安易に想像できない文字数及び番号ルールとする。通報番号は、自動作成され、通報者端末にも担当者端末にも表示されないシステム内だけで使用するものである。
【００４４】
通報受付手段は、通報選択を受け付けた場合、通報者端末から、通報メッセージを受け付けて、通報メッセージと通報番号と受付日時データとを、通報者識別情報と互いに関連づけてデータベースに格納する。受付可能な通報メッセージには、テキスト、文書ファイル、表ファイル、音声ファイル、画像ファイル、動画ファイルのうち１種類以上を含む。証拠写真や証拠書類や証言等を添えて通報できるので、利便性が高い。
【００４５】
第１のメール送信手段は、通報受付手段により通報を受け付けた後その団体の担当者ＩＤに関連づけて格納されている担当者メールアドレス宛てに通報があった旨のメールを作成し、作成したメールを送信する。メールには、担当者用ＷｅｂページのＵＲＬを入れてもよい。メール送信しない場合は、本手段はなくてもよい。
【００４６】
第３の認証手段は、担当者用Ｗｅｂページにアクセスした担当者端末３に、担当者用ＩＤと担当者用パスワードによる認証を行う。担当者用ＩＤと担当者用パスワードは団体毎に１以上付与されており、ベーシックＩＤと関連づけてデータベースに記憶されているので、かかる認証により、担当者端末がどの団体の担当者かがシステム側に識別される。担当者用Ｗｅｂページへのアクセスは、ブックマークからのリンクや直接ＵＲＬを入力して行うことができる。第１のメール送信手段によって、メールが送信される場合は、メールに記載されたＵＲＬからのリンクによるアクセスでもよい。
【００４７】
第４の認証手段は、第３の認証手段で認証がされた担当者端末のグローバルＩＰアドレスが、担当者用ＩＤと互いに関連づけてデータベースに格納されている担当者グローバルＩＰアドレスである場合に認証する。担当者グローバルＩＰアドレスは、対象団体となる企業で予め登録されており、したがって、その企業内に存在し社内のネットワークにすでに登録されているＰＣからのアクセスでることが担保されるため、物理的にセキュリティ性が高まる。
【００４８】
回答受付手段は、第４の認証手段で認証がされた担当者端末に、受付日時データと通報者識別情報とを含み通報者ＩＤを含まない通報一覧を有する管理画面を表示させ、回答する通報の選択を受け付け、選択された通報の受付日時データに互いに関連づけて格納されている通報メッセージと通報者識別情報を含み通報者ＩＤを含まない回答用画面を表示させ、回答メッセージを受け付け、回答メッセージと該通報メッセージとを互いに関連づけてデータベースに格納する。受付可能な回答メッセージには、テキスト、文書ファイル、表ファイル、音声ファイル、画像ファイル、動画ファイルのうち１種類以上を含む。
【００４９】
担当者端末には、通報者が意図せずに通報者を特定する情報が表示されることがないため、匿名性が高い。回答用画面で、担当者端末から、通報メッセージ毎のタグの入力及び回答要否の選択を受け付ける。タグは、通報メッセージの内容を簡潔に示すものである。なお、回答する場合は「公開」とし、回答しない場合は「非公開」とする。「公開」とは、公にする意味ではなく、通報者に回答を表示する意である。クレーマー等で回答する必要がない通報では、「非公開」を選択することができるので、対応不要なクレームで業務が煩雑になることを防止できる。タグ及び回答要否は、通報メッセージに互いに関連づけてデータベースに格納される。
【００５０】
通報検索手段は、上述した管理画面において、担当者端末から通報者識別情報又はタグでの検索を受け付け、担当者端末に検索結果を表示させて、回答する通報の選択を受け付ける。
【００５１】
第２のメール送信手段は、回答受付手段により回答メッセージを受け付けた後、その回答メッセージに関連づけて格納されている通報者メールアドレス宛てに回答があった旨のメールを作成し、作成したメールを送信する。通報者メールアドレスは担当者端末に表示されない。メールには、通報者用ＷｅｂページのＵＲＬを入れてもよい。メール送信しない場合は、本手段はなくてもよい。
【００５２】
回答表示手段は、第２の認証手段で認証がされた通報者端末から、回答を表示する通報の選択を受け付けて、受付日時データと互いに関連づけて格納されている通報メッセージを表示させ、通報メッセージに互いに関連づけて格納されている回答メッセージを表示させる。また、データベースにログが記憶されない。二要素認証できた場合のみ通報内容と回答を表示するので、なりすましによる情報漏洩を防止できる。本実施例によれば、回答メッセージを得るのに、氏名のみならず通報者ＩＤやメールアドレスも担当者を含む他人に知られずにすむ。なお、通報者ＩＤは通報者端末にも表示しない。
【００５３】
本実施例では、通報者端末による通報を受け付ける前段階として、システム管理者による各種データの初期設定及び言語テンプレートの登録を受け付ける。本実施例の内部通報管理システム１は、さらに、第７の認証手段と、初期設定手段と、言語受付手段と、言語テンプレート登録手段と、を設けてある。
【００５４】
第５の認証手段は、システム管理者用Ｗｅｂページにアクセスしたシステム管理者端末４に、システム管理者ＩＤとシステム管理者パスワードによる認証を行う。システム管理者用Ｗｅｂページへのアクセスは、ブックマークからのリンクや直接ＵＲＬを入力して行うことができる。
【００５５】
初期設定手段は、第５の認証手段で認証されたシステム管理者端末から、団体毎に１つ付与されるベーシックＩＤとベーシックパスワードとサービス名との組み合わせの入力と、団体毎に１又は複数付与される担当者用ＩＤと担当者用パスワードと担当者グローバルＩＰアドレスとの組み合わせの入力と、を受け付けて、ベーシックＩＤに関連づけてデータベースに格納する。したがって、本実施例のシステムを利用する団体の追加や削除や編集ができる。また、利用期間の入力を受け付けて、当該団体が本実施例のシステムを利用できる期間を設定することもできる。
【００５６】
言語受付手段は、第５の認証手段で認証されたシステム管理者端末から、団体毎に表示する言語の選択を受け付け、選択された言語をベーシックＩＤと互いに関連づけてデータベースに格納する。
【００５７】
言語テンプレート登録手段は、言語の選択を受け付けた後、システム管理者端末から、言語毎に、表示する文言のテンプレートの入力を受け付け、データベースに言語テンプレートとして格納する。団体毎に言語を変えることができるので、さらに、多言語にも対応できる。
【００５８】
なお、担当者端末に表示される管理画面においては、担当者端末から、通報に回答可能な担当者端末の追加・削除・編集を受け付けてデータベースに格納することができる。また、任意で担当者端末のメールアドレスの入力を受け付けて担当者端末ＩＤに関連づけて登録することもできる。
【００５９】
｛手順｝
本実施例の内部通報管理方法は、１又は複数の団体について匿名による内部通報を受け付けて管理する方法であって、上述した本実施例の内部通報管理システム１のサーバ（１１、１２、１３）で通報管理を行う方法である。本実施例の内部通報管理方法は、サーバが行う、以下のステップを含むものである。
【００６０】
図２は、本発明の内部通報管理システム及び内部通報管理方法の実施例１の処理手順の概要を示す第１の画面変移概要図（システム管理者用）である。
【００６１】
＜システム管理者による設定＞
（ステップα）
第５の認証手段によって、システム管理者用Ｗｅｂページにアクセスしたシステム管理者端末４に、システム管理者ＩＤとシステム管理者パスワードによる認証を行う（図２のＴＦ２−１参照）。
【００６２】
（ステップβ）
初期設定手段によって、ステップαで認証されたシステム管理者端末から、団体ごとにサービス名とベーシックＩＤとベーシックパスワードとサービス開始日とを受け付け（図２のＴＳ４−１参照）、また、担当者ＩＤと担当者パスワードを受け付け、受け付けた各データを、ベーシックＩＤに関連づけてデータベースに格納する。企業名は、企業一覧から選択する画面から選択可能となっている（図２のＴＳ１４−１参照）。登録した内容は、確認画面に表示できる（図２のＴＳ４−２参照）。
【００６３】
（ステップγ）
言語受付手段によって、第５の認証手段で認証されたシステム管理者端末から、団体毎に表示する言語の選択を受け付け、選択された言語をベーシックＩＤと互いに関連づけてデータベースに格納する。
【００６４】
（ステップσ）
言語テンプレート登録手段によって、言語毎に表示する文言のテンプレートの入力を受け付け（図２のＴＳ４−１参照）、データベースに言語テンプレートとして格納する。
【００６５】
＜初期登録（通報者）受付＞
図３は、本発明の内部通報管理システム及び内部通報管理方法の実施例１の処理手順の概要を示す第１のフロー図である。図４は、本発明の内部通報管理システム及び内部通報管理方法の実施例１の処理手順の概要を示す第２の画面変移概要図（通報者端末用：初期登録）である。
【００６６】
（ステップＡ：通報者端末認証）
第１の認証手段によって、通報者用Ｗｅｂページにアクセスした通報者端末に、ベーシックＩＤとベーシックパスワードによる認証を行う（図４のＴＦ１−１参照）。
【００６７】
（ステップＢ：初期登録）
通報者ＩＤ作成手段及び初期登録手段によって、ステップＡで認証された通報者端末が通報者ＩＤ未付与である場合に、一意の通報者ＩＤを作成して、通報者パスワードと通報者識別情報の登録を受け付けて（図４のＴＦ１−３参照）、通報者パスワードと通報者識別情報と通報者識別情報パスワードとを作成された通報者ＩＤに互いに関連づけてデータベースに格納する。
【００６８】
メール送信による通報者端末への通知を行う場合、通報者識別情報と通報者識別情報パスワードに加えてメールアドレスも受け付け可能とし、受け付けした通報者メールアドレスを該通報者識別情報に互いに関連づけて前記データベースに格納する。
【００６９】
＜内部通報（通報者）受付＞
図５は、本発明の内部通報管理システム及び内部通報管理方法の実施例１の処理手順の概要を示す第３の画面変移概要図（通報者端末用：通報１）である。図６は、本発明の内部通報管理システム及び内部通報管理方法の実施例１の処理手順の概要を示す第４の画面変移概要図（通報者端末用：通報２）である。
【００７０】
ステップＡで認証を行う（図５のＴＦ１−１参照）。
【００７１】
（ステップＣ）
第２の認証手段によって、ステップＡで認証された通報者端末が通報者ＩＤ付与済である場合に、通報者端末から通報者パスワードの入力を受け付ける（図５のＴＦ２−２参照）。
【００７２】
（ステップＤ）
サーバは、ステップＣで入力された通報者パスワードが、その通報者端末の通報者ＩＤとして関連づけて格納されている場合に、通報者端末から通報履歴又は通報の選択を受け付ける（図５のＴＦ３−１参照）。
【００７３】
（ステップＥ：通報）
通報番号作成手段によって、ステップＤで通報が選択された場合に、通報者端末から通報選択を受け付けて、一意の通報番号を作成して、通報受付手段によって、通報メッセージを受け付けて（図６のＴＦ４−３参照）、通報メッセージと作成された通報番号と受付日時データとを通報者識別情報と互いに関連づけて前記データベースに格納する。
【００７４】
メール送信による担当者端末への通知を行う場合、第１のメール送信手段によって、通報受付手段により通報を受け付けた後、その団体の担当者ＩＤに関連づけて格納されている担当者メールアドレス宛てに通報があった旨のメールを作成し、作成したメールを送信する。
【００７５】
＜回答（担当者）受付＞
図７は、本発明の内部通報管理システム及び内部通報管理方法の実施例１の処理手順の概要を示す第２のフロー図である。図６において、「※１」は、図３で「※１」とある部分からの続きであることを示す。図８は、本発明の内部通報管理システム及び内部通報管理方法の実施例１の処理手順の概要を示す第５の画面変移概要図（担当者端末用：管理画面）である。
【００７６】
（ステップＦ：担当者端末認証）
第３の認証手段によって、担当者用Ｗｅｂページにアクセスした担当者端末に、担当者用ＩＤと担当者用パスワードによる認証を行う（図８のＴＫ２−１参照）。
【００７７】
（ステップＧ）
第４の認証手段によって、ステップＦで認証された担当者端末のグローバルＩＰアドレスが、担当者用ＩＤと互いに関連づけてデータベースに格納されている担当者グローバルＩＰアドレスである場合に認証する。
【００７８】
（ステップＨ）
回答受付手段によって、ステップＧで認証された担当者端末に、受付日時データと通報者識別情報とを含み通報者ＩＤを含まない通報一覧を有する管理画面を表示させ、回答する通報の選択を受け付ける（図８のＴＫ３−１参照）。
【００７９】
なお、本実施例では、通報検索手段によって、担当者端末から通報者識別情報又はタグでの検索を受け付け、担当者端末に検索結果を表示させて、回答する通報の選択を受け付ける。
【００８０】
（ステップＩ：回答）
回答受付手段によって、ステップＨで選択された通報の受付日時データに互いに関連づけて格納されている通報メッセージと通報者識別情報を含み通報者ＩＤを含まない回答用画面を担当者端末に表示させ、回答メッセージを受け付け（図８のＴＫ４−１参照）、回答メッセージと通報メッセージとを互いに関連づけてデータベースに格納する。
【００８１】
メール送信による通報者端末への通知を行う場合、第２のメール送信手段によって、回答受付手段により回答メッセージを受け付けた後、その回答メッセージに関連づけて格納されている通報者メールアドレス宛てに回答があった旨のメールを作成し、作成したメールを送信する。
【００８２】
なお、本実施例では、回答受付手段によって、回答用画面で、通報メッセージ毎のタグの入力及び回答要否の選択を受け付ける（図８のＴＫ４−１参照）。
【００８３】
＜回答確認（通報者）受付＞
図９は、本発明の内部通報管理システム及び内部通報管理方法の実施例１の処理手順の概要を示す第６の画面変移概要図（通報者端末用：回答確認）である。
【００８４】
（ステップＪ：回答確認）
ステップＤで通報履歴が選択された場合に、該通報者ＩＤと互いに関連づけて格納されている通報者識別情報を前記データベースから呼び出し、前記通報者端末に、該通報者識別情報に互いに関連づけて格納されている受付日時データと回答有無を表示させ（図９のＴＦ３−１参照）、回答を表示する通報の選択を受け付け、回答表示手段によって、通報者端末に、受付日時データと互いに関連づけて格納されている通報メッセージを表示させ、通報メッセージに互いに関連づけて格納されている回答メッセージを表示させる（図９のＴＦ４−１０参照）。
【００８５】
｛効果｝
本実施例によれば、通報者が初期登録する際にＩＤが自動作成され、担当者側に表示される通報者識別情報を自分で作成できるため、通報者がＰＣ端末だけでなくスマートフォン端末やタブレット端末からであっても、通報に回答する担当者に通報者の氏名を特定されることなく、匿名で通報メッセージを送ることが可能となるため、利便性が高いうえにセキュリティ性も高い。さらに、通報者が初期登録した端末から、二要素認証を経てのみ、通報や回答閲覧が可能となるので、なりすましや情報漏洩を防止できる。所定のＩＰアドレスである担当者端末からのみ通報に回答でき、また、通報者を特定する情報を見ることができず、ログが残らないので、外部に通報者の情報が漏れる心配がない。通報した通報者端末と所定のＩＰアドレスである担当者端末以外では通報内容を見ることもできない。また、言語を選択でき選択した言語で表示されるので、日本語以外の言語を用いる企業であっても対応できる。
【００８６】
したがって、本実施例によれば、通報者の匿名性を確保し、利便性と信頼性とセキュリティ性が高い。さらに、多言語にも対応できる。
【００８７】
なお、本発明は、上記実施の形態に限定されず、その発明の趣旨を逸脱しない範囲で種々と変形実施が可能である。また、上記各実施の形態の構成要素を発明の趣旨を逸脱しない範囲で任意に組み合わせることができる。
【符号の説明】
【００８８】
１  内部通報管理システム
１１  Ｗｅｂサーバ
１１１  通報者ＩＤ作成手段
１１２  通報番号作成手段
１２  メールサーバ
１３  データベースサーバ
１４  ファイヤーウォール
２  通報者端末
３  担当者端末
４  システム管理者端末
５  ネットワーク
【図１】
2019139334.tif 000003
【図２】
2019139334.tif 000004
【図３】
2019139334.tif 000005
【図４】
2019139334.tif 000006
【図５】
2019139334.tif 000007
【図６】
2019139334.tif 000008
【図７】
2019139334.tif 000009
【図８】
2019139334.tif 000010
【図９】
2019139334.tif 000011